(57)【要約】【課題】  モード遷移に伴い目標回転数が非連続的に変化したとしても、安定したモード遷移を達成可能なハイブリッド車両の制御装置を提供すること。【解決手段】  ハイブリッド車両の制御装置において、無段変速比モード領域と固定変速比モード領域の境界に、要求駆動力軸方向に所定幅を有し、モード遷移に伴う回転要素の目標回転数変化を連続的に設定する遷移領域を設けた。【選択図】        図１８
2005163912.tif 000002
【特許請求の範囲】
【請求項１】
エンジンと少なくとも１つのモータによる動力源がそれぞれ回転要素に連結される遊星歯車列と、
解放により無段変速機能を有する状態から締結することで固定変速比を得る第１係合要素を有する差動歯車変速機と、
車速、運転者の要求駆動力、バッテリの充電状態によって規定され、無段変速比モード領域と固定変速比モード領域が設定された三次元モードマップと、
を備えたハイブリッド車両の制御装置において、
前記無段変速比モード領域と前記固定変速比モード領域の境界に、要求駆動力軸方向に所定幅を有し、モード遷移に伴う回転要素の目標回転数変化を連続的に設定する遷移領域を設けたことを特徴とするハイブリッド車両の制御装置。
【請求項２】
請求項１に記載のハイブリッド車両の制御装置において、
前記無段変速比モードから前記固定変速比モードに遷移するときの目標回転数変化が非連続となる許容回転数を設定したことを特徴とするハイブリッド車両の制御装置。
【請求項３】
請求項２に記載のハイブリッド車両の制御装置において、
前記許容回転数を、低車速時は大きく設定し、高車速時は小さく設定したことを特徴とするハイブリッド車両の制御装置。
【請求項４】
請求項１または請求項２に記載のハイブリッド車両の制御装置において、
前記所定幅を、低車速時は広く設定し、高車速時は狭く設定したことを特徴とするハイブリッド車両の制御装置。
【請求項５】
請求項１ないし請求項３に記載のハイブリッド車両の制御装置において、
前記所定幅を、バッテリの充電量が多い時は狭く設定し、バッテリの放電量が多い時は広く設定したことを特徴とするハイブリッド車両の制御装置。
【発明の詳細な説明】
【技術分野】
【０００１】
本発明は、複数の走行モードを有し、三要素により決定された三次元モードマップから、最適なモードを選択するハイブリッド車両の制御装置の技術分野に属する。
【背景技術】
【０００２】
４個以上の要素を有する２自由度の例えば遊星歯車機構により構成する差動装置に、駆動系統への出力を割り当てた要素以外の要素にブレーキを設けたパワートレーンシステムを適用したハイブリッド車両が特許文献１に開示されている。このハイブリッド車両では、例えば、２つのモータのみで無段変速比を得るEVモードと、ローブレーキを締結した固定変速比にて２つのモータで駆動するEV-LBモードと、エンジン及び２つのモータを駆動しつつ無段変速比を得るEIVTモードと、エンジン及び２つのモータを駆動しつつ固定変速比を得るLBモードとを備えている。これら各種モードは、走行状態に応じてモードマップから適宜選択される。
【特許文献１】特開２００３-３４１５３号公報。
【発明の開示】
【発明が解決しようとする課題】
【０００３】
上述の従来技術にあっては、例えば運転者がアクセルペダルを踏み込み、要求駆動力が大きくなると、EIVTモードからLBモードに遷移する。このとき、車速一定で無段変速比モードから固定変速比モードに遷移するため、各回転要素の目標回転数が非連続的に変更される。よって、各回転要素に接続された動力源が回転数変化に追従できず、運転性の悪化や、機械的構成要素の耐久性の悪化を招く虞があった。
【０００４】
本発明は、上記問題に着目してなされたもので、モード遷移に伴い目標回転数が非連続的に変化したとしても、安定したモード遷移を達成可能なハイブリッド車両の制御装置を提供することを目的とする。
【課題を解決するための手段】
【０００５】
上述の課題を解決するために、本発明では、ハイブリッド車両の制御装置において、無段変速比モード領域と固定変速比モード領域の境界に、要求駆動力軸方向に所定幅を有し、モード遷移に伴う回転要素の目標回転数変化を連続的に設定する遷移領域を設けた。
【発明の効果】
【０００６】
よって、モード遷移に伴う目標回転数を連続的に設定することが可能となり、運転性の向上を図りつつ、機械的構成要素の耐久性の向上を図ることができる。
【発明を実施するための最良の形態】
【０００７】
以下、本発明のハイブリッド車を実現する実現する最良の形態を、図面に示す実施例に基づいて説明する。
【実施例１】
【０００８】
図１は、本発明の実施例１におけるハイブリッド変速機を示す。本実施例１においては、前輪駆動車（ＦＦ車）用のトランスアクスルとして用いるのに有用な以下の構成とする。
【０００９】
図１において、ハイブリッド変速機は、左側からエンジンENG、ラビニョ型遊星歯車装置２および複合電流２層モータ３を同軸に配置する。ラビニョ型遊星歯車装置２は、ピニオンP2を共有するシングルピニオン遊星歯車装置４およびダブルピニオン遊星歯車装置５とから成る。シングルピニオン遊星歯車装置４はサンギヤS2およびリングギヤR2にそれぞれピニオンP2を噛合させた構造とする。ダブルピニオン遊星歯車装置５はサンギヤS1および共有ピニオンP2の他に、リングギヤR1および大径ピニオンP1を具え、大径ピニオンP1をサンギヤS1、リングギヤR1および共有ピニオンP2の３者に噛合させた構造とする。そして、遊星歯車装置４，５のピニオンP1，P2を全て、共通なキャリアCにより回転自在に支持する。
【００１０】
以上の構成になるラビニョ型遊星歯車装置２は、サンギヤS1、サンギヤS2、リングギヤR1、リングギヤR2、ピニオンP1、ピニオンP2およびキャリアCの７個の回転メンバを主たる要素とし、これら７個のメンバのうち、２個のメンバの回転速度を決定すると、他のメンバの回転速度が決まる２自由度の差動装置を構成する。
【００１１】
ラビニョ型遊星歯車装置２に対し本実施の形態においては、図の左側に同軸に配置したエンジンENGからの回転がシングルピニオン遊星歯車装置５のリングギヤR2に入力されるよう、リングギヤR2にエンジンENGのクランクシャフトを結合する。一方で、ラビニョ型遊星歯車装置２からの出力回転を共通なキャリアCより取り出すよう、このキャリアCに車輪駆動系Out（例えば図1におけるディファレンシャルギヤ装置を含む終減速機６および左右駆動車輪７）を結合する。
【００１２】
複合電流２層モータ３は、インナーロータ３riと、これを包囲する環状のアウターロータ３roとを、変速機ケース１内の後軸端に同軸に回転自在に支持して具え、これらインナーロータ３riおよびアウターロータ３ro間における環状空間に同軸に配置した環状コイルよりなるステータ３ｓを変速機ケース１に固設して構成する。
【００１３】
このように、環状コイル３ｓとアウターロータ３roとで外側のモータ・ジェネレータである第２モータ・ジェネレータMG2が構成される。また、環状コイル３ｓとインナーロータ３riとで内側のモータ・ジェネレータである第１モータ・ジェネレータMG1が構成される。
【００１４】
ここでモータ・ジェネレータMG1，MG2はそれぞれ、複合電流を供給される時は供給電流に応じた個々の方向の、また供給電流に応じた個々の速度（停止を含む）の回転を出力するモータとして機能し、複合電流を供給されない時は外力による回転に応じた電力を発生する発電機として機能する。かかる複合電流２層モータ３と、ラビニョ型遊星歯車装置２との間の結合に当たっては、ダブルピニオン遊星歯車装置５のサンギヤS1に第１のモータ・ジェネレータMG1（詳しくはインナーロータ３ri）を結合し、シングルピニオン遊星歯車装置４のサンギヤS2に第２のモータ・ジェネレータMG2（詳しくはアウターロータ３ro）を結合する。
【００１５】
図２は制御装置を含んだハイブリッドシステムの構成を示す図である。
本実施例１におけるハイブリッドシステム（以下、E-IVTシステムと記載する）は、全体のエネルギーを統合制御する統合コントローラ１０と、エンジンを制御するエンジンコントローラ１２(engine clutch controllerを含む)と、ハイブリッド変速機内のMGを制御するモータコントローラ１１と、MGに電気を供給するインバータ１３と電気エネルギーを蓄えるバッテリ１４と、MGを含むハイブリッド変速機から成る。
【００１６】
統合コントローラ１０は、アクセル開度APとエンジン回転速度ωEと車速VSP(出力軸回転速度に比例)とに応じて、運転者が意図する運転状態を実現するように、モータコントローラ１１に目標MGトルクを、エンジンコントローラ１２に目標エンジントルクを指令する。ここで、統合コントローラ１０に入力する回転速度は、エンジン回転速度と出力軸回転速度に限定されるものではなく、ラビニョ型遊星歯車装置の回転要素のうち、いずれか２つの回転速度であれば良い。なぜなら、ラビニョ型遊星歯車装置の回転自由度は２であるので、いずれか２つの回転要素の回転速度が分かれば、他の回転要素の回転速度も分かるためである。
【００１７】
また、モータコントローラ１１への指令値は、目標MGトルクではなく目標MG回転速度とし、モータコントローラ１１内部に、PI制御器などで目標MG回転速度を実現する制御系を有しても良い。
【００１８】
（E-IVTシステムにおける制御モード）
E-IVTシステムは、主に下記に示す４つのモード
１）モード４（EVモード）
２）モード６（EV-LBモード）
３）モード２８（EIVTモード）
４）モード３０（LBモード）
を有する。
【００１９】
上記４つのモードは全て第１モータ・ジェネレータMG1及び第２モータジェネレータMG2を使用する。ただし、エンジン（もしくはエンジンクラッチ）を駆動するかどうか、もしくは、ローブレーキLBを使用するかどうかが主に異なる。
【００２０】
表１は、上記４つのモードにおけるエンジンクラッチ８のオン・オフ状態と、ローブレーキLBの締結状態との関係を表す。４つのモードはいかなる走行状況であっても選択可能な訳ではなく、それぞれ限られた制御領域において達成可能である。
（表１）
2005163912.tif 000003
【００２１】
制御領域は、３軸からなる三次元空間から構成されている。３軸とは、車速VSP、駆動力F、及びバッテリのSOC（State of charge）を表す。一般に、SOCが低下すると、全てのモードの制御領域が小さくなる。ここで、駆動力Fとは車両が駆動するのに必要な要求駆動力である。特に、車速VSP，駆動力Fによって決定されるポイントを運転点と記載する。
【００２２】
上記各モードは、第１モータ・ジェネレータMG1，第２モータ・ジェネレータMG2及びエンジンそれぞれのトルクと回転速度（T1，N1，T2，N2，Te，Ne）と電力消費量に応じて決定される。要求駆動力Fは、運転者の操作するアクセルペダル開度及び車速から決定され、各４つのモードから最適なモードが選択される。
【００２３】
〔モード４（EVモード）〕
モード４では、第１モータ・ジェネレータMG1及び第２モータ・ジェネレータMG2のみ使用する。ラビニョ型遊星歯車装置２において、第１及び第２モータ・ジェネレータMG1，MG2のトルクをT1，T2、回転速度をN1，N2、出力軸トルクをT0、出力軸回転数をN0とすると、下記の式により表される。
(式１）
N2＝｛−βN1＋（１＋α＋β）N0｝/（１＋α）
T1＝βT0/（１＋α＋β）
T2＝（１＋α）T0/（１＋α＋β）
尚、α，βはラビニョ型遊星歯車のギヤ比に相当する。リングギヤR2（エンジン）とキャリヤC（出力軸）のギヤ比を１とした場合、リングギヤR2とサンギヤS1（MG1）とのギヤ比をαとする。また、キャリヤCとサンギヤS2（MG2）とのギヤ比をβとする。
【００２４】
上記関係式（１）に基づいてモード４における駆動力制御が実行される。図３は、車速VSPと要求駆動力Fによって決定されたモード４（EVモード）制御領域を表す図である。E-IVTシステムの制御領域では、二つの入力（車速VSP及び要求駆動力F）によって決定される運転点が属している制御領域が最適モードとして決定される。
【００２５】
〔モード６（EV-LBモード）〕
モード６では、第１及び第２モータ・ジェネレータMG1，MG2とローブレーキLBを使用する。図４は、車速VSPと要求駆動力Fによって決定されるモード６（EV-LBモード）制御領域を表す図である。モード６が選択されると、下記式２に基づいて駆動力制御が実行される。
（式２）
N1＝（１＋α＋γ）N0/γ
N2＝（γ−β）N0/γ
T2＝｛（１＋α＋γ）T1−γT0｝/（β−γ）
TL＝T0−T1−T2
尚、TLはローブレーキLBのトルク，γはキャリヤCとローブレーキLBとのギヤ比である。
【００２６】
〔モード２８（EIVTモード）〕
モード２８では、第１モータ・ジェネレータMG1，第２モータ・ジェネレータMG2及びエンジンを使用する。図５は、車速VSPと要求駆動力Fによって決定されるモード２８（EIVTモード）制御領域を表す図である。よって、モード２８の制御領域では、三つの入力に依存することとなる。モード２８が選択されると、下記式３に基づいて駆動力制御が実行される。
（式３）
N1＝−αN0＋（１＋α）Ne
N2＝（１＋β）N0−βNe
T1＝｛１/（１＋α＋β）｛βT0−（１＋β）Te｝｝
T2＝T0−T1−Te
尚、Neはエンジン回転数、Teはエンジントルクである。
【００２７】
〔モード３０（LBモード）〕
モード３０では、第１モータ・ジェネレータMG1，第２モータ・ジェネレータMG2，エンジン及びローブレーキLBを使用する。図６は、車速VSPと要求駆動力Fによって決定されるモード３０（LBモード）制御領域を表す図である。よって、モード３０の制御領域では、三つの入力に依存することとなる。モード３０が選択されると、下記式４に基づいて駆動力制御が実行される。
（式４）
N1＝｛（１＋α＋γ）/γ｝N0
N2＝−｛（β−γ）/γ｝N0
Ne＝｛（１＋γ）/γ｝N0
TL＝T0−T1−T2−Te
T2＝｛１/（β−γ）｝(−γT0＋（１＋α＋γ）T1＋（１＋γ）Te)
【００２８】
尚、以上４つのモードについて説明したが、例えば、第１モータ・ジェネレータMG1を変速機ケースに固定するハイブレーキを追加し、ハイブレーキモードを追加してもよいが特に限定しない。
【００２９】
（SOCに応じた最適モード選択過程について）
上述の４つのモードのうち、ある車速VSP及び要求駆動力Fによって決定される運転点では、複数のモードが重なる。このとき、選択された複数のモードのうち燃費効率の最も良好なモードが選択される。具体的には、モータ・ジェネレータMG1，MG2の電力収支を計算する。次に、電力収支と燃料消費量の関係から、最も燃料消費量の少ないモードが選択される。
【００３０】
ここでは、SOCよりもむしろ、燃料1cc当たりどの程度駆動力に寄与するかを表す駆動効率EFFを用いる。駆動効率EFFとSOCは密接な関係を有している。SOCが高いときはバッテリは充電を必要としておらず、このとき燃料消費量は低いため供給される燃料は、充電には使用されず駆動に使用されるため駆動効率EFFは高い。一方、SOCが低いときは、バッテリが充電を必要としており、バッテリを充電するためにエンジンを駆動する必要があり、このとき燃料消費量が増加するため駆動効率EFFは低い。この関係を用いてモードと駆動効率の関係から、最終的にモードとSOCの関係に読み替えて最適モードマップを構築する。
【００３１】
（最適モードマップの構築論理）
次に、最適モードマップの構築論理について説明する。
【００３２】
（ステップ１）
エンジンの燃料消費軸に沿って、全ての可能なモードにおける電力Eを演算する。この電力Eは、第１モータジェネレータMG1，第２モータジェネレータMG2の電力収支（電力、及び電力損失（モータ損失やインバータ損失を含む））に対応する。
【００３３】
（ステップ２）
電力関数E＝f(fuel)は、燃料消費量に応じた電力の関数である。ステップ１で演算された各モードにおける電力の内、各燃料消費量に対して最大の電力を発生可能なモードを選択する。すなわち燃料消費量fuelに対する最適なモード関数が得られる。ここで、E>０はバッテリが充電されている状態を表し、E<０はバッテリが電力を消費している状態を表す。
【００３４】
（ステップ３）
ステップ２で得られた電力関数Eから、駆動効率関数EFF＝g(fuel)を演算する。駆動効率関数EFFは、燃料消費量に対する電力比である。すなわち、バッテリを最大限利用したときの燃料消費量fuel0に比べ、更に燃料を消費{fuel(i)−fuel0}したときに増加する電力収支{E(i)−E(fuel0)}の分を演算すれば、燃料がどの程度電力収支の改善に寄与したかが分かる。すなわち電力収支の改善寄与度とは、燃料がどの程度駆動力に使用されたかを表す駆動効率EFFを表すことになる。
【００３５】
（ステップ４）
ステップ３で得られた駆動効率関数を逆変換し、燃料消費関数fuel＝h1(EFF)を演算する。
【００３６】
（ステップ５）
ステップ４及びステップ２の演算結果から、モード関数Mode＝h2(EFF)が得られる。すなわち、推定される駆動効率EFFに応じた制御モードが得られる。
【００３７】
上記ステップにより、車速VSP，要求駆動力F，駆動効率EFFに基づく三次元最適モードマップを構築できる。駆動効率EFFは、変数として電力E及び燃料消費量fuelから得られる。また、上述したようにSOCとEFFには密接な関係があるため、この関係を用いて車速VSP，要求駆動力F，SOCに基づく三次元最適モードマップが作成される。
例えば、車速VSP＝Ａ(km/h)，駆動力F＝Ｂ(N)，SOC＝可変の状態において、LBモードとEIVTモードの２つのモードが選択可能な場合について説明する。
【００３８】
図７は各モードにおける燃料消費量fuelに対する電力の演算結果を表す図である。この演算結果から、燃料消費量fuelに対する最大の電力を選択したのが図８に示す燃料消費量に対する電力の関係である。図８において、ある燃料消費量において、E<０であれば電力消費量が最小を意味し、E>０であれば充電される電力量が最大を意味する。
【００３９】
次に、燃料消費量に対する駆動効率EFFを演算する。まず、図８に示す電力関数を下記式に基づき微分する。
dE/dfuel＝{E(i)−E(fuel0(n))}/{fuel(i)−fuel0(n)}
尚、fuel0(n)は、バッテリの充放電容量最大値を考慮した燃料消費量最小値（例えば、最初の演算時においては図８中fuel0(1)で示される点）である。図９は図８に示す電力関数の微分値と燃料消費量の関係を表す。図９に示すdE/dfuelの演算結果において、dE/dfuelの最大値（＝ｂ）を取るfuel（＝ａ）をプロットする。
【００４０】
次に、fuel＝ａ以降ではfuel0(2)＝ａとして、再度dE/dfuelを演算し、dE/dfuelの最大値を取るfuelをプロットする。この演算を繰り返すことによって、図１０に示す燃料消費量fuelに対する駆動効率EFFの関数EFF＝g（fuel）を作成する。
【００４１】
次に、図１１に示すようにEFF＝g（fuel）をfuel＝h1（EFF）の関数に変換する。このfuel＝h1（EFF）の関数と、上述した図７に示すE＝f（fuel）からモード関数Mode＝h2（EFF）の関数を推定する。具体的には、E＝f（fuel）からモードが切り替わるポイントの燃料消費量fuelが分かる。このfuelに対応するEFF＝g（fuel）がモードの切り替わるポイントとなる。このような対比から、図１２に示すように、駆動効率EFFに対応する制御モードが特定される。
【００４２】
図１３はSOCが中程度のときの最適モードマップを表す図である。上述したように、駆動効率EFFはSOCと密接な関係にあるため、駆動効率EFFをSOCに読み替え、SOCに対応した最適モードマップを作成することが可能となる。
【００４３】
（モード遷移における課題）
LBモードとEIVTモードの間におけるモード遷移では、出力回転数No一定の状態でエンジンやモータジェネレータの回転数が大きく変化する。よって、この変化を素早く達成しようとしても、うまくモード遷移ができない。また、回転数差が大きすぎると、モード遷移に時間がかかりすぎる。
【００４４】
図１４は車速一定においてモード遷移する場合を表す図である。EIVTモード領域内にある運転点P1から、アクセルペダルを大きく踏み込むことによってLBモード領域内の運転点P2に遷移する。図１５はこのモード遷移によって発生するエンジン回転数の変化（以下、ギャップと記載する）を表す図である。このように回転数にギャップが発生するモード遷移が頻繁に起こった場合には、目標エンジン回転数が頻繁に変化し、更に問題となる。モード遷移が頻繁に起こる問題については、例えば図１６に示すように、モード間にヒステリシスを設けることで解消できる。しかしながら、ギャップの問題については解消されるものではない。そこで、ギャップの発生する理由について説明する。
【００４５】
EIVTモードでは、ローブレーキLBは使用しないため、車速一定の場合、エンジン回転数Ne，第１モータジェネレータの回転数N1，第２モータジェネレータの回転数N2は機械的な限界値の範囲内で自由に回転数を選択できる。このとき、燃料消費量が最小となる回転数を適宜選択している。
【００４６】
LBモードでは、ローブレーキLBを使用する。よって、変速比が一定となり、エンジン回転数Ne，第１モータジェネレータの回転数N1，第２モータジェネレータの回転数N2は、出力軸回転数Noと比例関係にある。
【００４７】
ギャップの問題は、主にEIVTモードからLBモードへのモード遷移時にローブレーキLBを素早く締結しなければならない点に起因する。ローブレーキLBによって固定されるリングギヤR1の回転数NLBが高いときはローブレーキLBを締結することが困難である。一方、LBモードからEIVTモードへのモード遷移時にはローブレーキLBを解放するだけであるため、さほど問題にはならない。
【００４８】
しかしながら、目標値が大きく変化した場合には、やはり問題となる。そこで、各回転数（N1，N2，NLB）のギャップと同じ傾向を有するエンジン回転数のギャップに着目して説明する。
【００４９】
〔エンジン回転数のギャップについて〕
【００５０】
図１７は車速一定において、EIVTモードからLBモードへの遷移を表す図である。EIVTモードにおける各回転数（N1，N2，Ne，NLB）を、図１７中点線矢印で示す方向にスムーズかつ連続的に変更し、LBモードへ遷移させる。
【００５１】
具体的には、図１８に示すように、EIVTモードとLBモードの間（EIVT領域側）にｄの幅を有する領域ｄを設けた。図１９は運転点P1から運転点P2へ遷移するときのエンジン回転数を表す図である。このように、幅ｄの間においてエンジン回転数Neのギャップを上昇角αにより徐々に上昇させるため、運転性を損なうことなくスムーズにモード遷移を達成できる。
【００５２】
ただし、ローブレーキLBを締結する際、必ずしもリングギヤR1の回転数が０でなくとも運転性は損なわれない。すなわち、エンジン回転数がLBモードの目標エンジン回転数よりも若干低めであってもよい。そこで、許容回転数εを設定し、幅ｄの間においてLBモードの目標エンジン回転数よりも許容回転数εだけ低い値に到達するように徐々に上昇させる。このとき上昇角をαよりも小さなβに補正することで、エンジンの燃料噴射量を小さくすることができる。尚、この許容回転数はエンジン以外の回転要素にも同様に適用する。
【００５３】
〔許容回転数εの設定について〕
幅ｄが狭いと、エンジン回転数を一気に上昇させる（上昇角αが大きい）ため、燃費には影響しないが乗り心地の悪化を招く。そこで、図２０に示すように、上昇角αを小さな上昇角βとすることが可能な許容回転数εを導入する。ただし、この許容回転数εは、ローブレーキLBを締結した場合に過度の摩擦熱や締結ショックを十分に回避可能な値の範囲内で設定する。
【００５４】
低車速では許容回転数εは大きく設定される。EIVTモードはエンジン回転数及びエンジントルクに自由度がある。よって、低車速時はエンジン駆動力がさほど要求されず、燃料消費量を抑制する点からエンジン回転数は小さく設定される。この状態でLBモードに遷移すると、NLBが０になり、エンジン回転数を大きく上昇させる必要があるため、許容回転数を大きくし、上昇角を小さく設定する。
【００５５】
一方、高車速時では許容回転数εは小さく設定される。高車速では車両駆動用としてモータジェネレータで不足する分のエンジン駆動力が要求され、エンジン回転数は高く設定される。このとき、LBモードに遷移すると、エンジン回転数は上昇側に移行するものの、もともとのEIVTモードにおけるエンジン回転数が高いため、さほどエンジン回転数を上昇させる必要がないため、許容回転数を小さくしても上昇角は大きくならない。
【００５６】
〔幅ｄについて〕
幅ｄは、SOCに応じて設定される。EIVTモードにおいて、SOCが低い時はバッテリを充電する必要があり、高いエンジン回転数が要求される。よって、LBモードに遷移すると、エンジン回転数が上昇側に移行するものの、もともとのEIVTモードにおけるエンジン回転数が高いため、さほどエンジン回転数は上昇しないため、幅ｄは狭くても良い。
【００５７】
一方、SOCが高い時は燃料消費量を抑制する点からエンジン回転数は小さく設定される。このとき、LBモードに遷移すると、エンジン回転数が大きく上昇するため、幅ｄは広くする必要がある。
【００５８】
尚、ここでは、SOCに応じて幅ｄを設定したが、この設定された幅ｄをバッテリの充電量予測や放電量予測に基づいて補正してもよい。バッテリの充放電量予測とは、例えば、ナビゲーションシステム等から車両の位置する地形を読み込み、前方が下り坂であれば充電量が多く得られると予測し、上り坂であれば放電量が多くなると予測する。この予測された充放電量から幅ｄを補正することで、更に運転性の高いモード遷移が可能となる。
【００５９】
幅ｄは、アクセルペダルストローク速度（以下、dAPS/dt）に応じて補正してもよい。dAPS/dtが大きい時、すなわちアクセルペダルが素早く踏み込まれた時は、運転性や制御性を確保するために幅ｄを長く補正する。一方、dAPS/dtが小さい時は、幅ｄは小さいままでも運転性や制御性が悪化しないため燃料消費量を抑制することができる。すなわち、運転性や制御性の確保を優先する時は幅ｄを長くし、燃費向上の確保を優先する時は幅ｄを短くすることで、運転性及び制御性を確保しつつ、燃費向上を図ることができる。
【図面の簡単な説明】
【００６０】
【図１】実施例１におけるハイブリッドシステムの機械的構成を示す全体図である。
【図２】実施例１におけるハイブリッドシステムの制御構成を表すブロック図である。
【図３】実施例１におけるハイブリッドシステムのEVモードの制御領域を表すマップである。
【図４】実施例１におけるハイブリッドシステムのEV-LBモードの制御領域を表すマップである。
【図５】実施例１におけるハイブリッドシステムのEIVTモードの制御領域を表すマップである。
【図６】実施例１におけるハイブリッドシステムのLBモードの制御領域を表すマップである。
【図７】実施例１におけるLBモードとEIVTモードの燃料消費量に対する電力収支の関係を表す図である。
【図８】実施例１における燃料消費量に対する電力収支の関係を表す図である。
【図９】実施例１における燃料消費量に対する制御モードの関係を表す図である。
【図１０】実施例１における燃料消費量に対する駆動効率の関係を表す図である。
【図１１】実施例１における駆動効率に対する燃料消費量の関係を表す図である。
【図１２】実施例１における駆動効率に対する最適モードの関係を表す図である。
【図１３】実施例１におけるSOCが中程度のときの車速−要求駆動力モードマップを表す図である。
【図１４】実施例１における車速一定においてモード遷移する場合を表す図である。
【図１５】実施例１におけるモード遷移によって発生するエンジン回転数の変化を表す図である。
【図１６】実施例１におけるモード間にヒステリシスを設けた図である。
【図１７】実施例１における車速一定において、EIVTモードからLBモードへの遷移を表す図である。
【図１８】実施例１におけるEIVTモードとLBモードの間（EIVT領域側）に領域ｄを設けた図である。
【図１９】実施例１における運転点P1から運転点P2へ遷移するときのエンジン回転数を表す図である。
【図２０】実施例１における許容回転数εを導入した場合であって、運転点P1から運転点P2へ遷移するときのエンジン回転数を表す図である。
【符号の説明】
【００６１】
１  変速機ケース
２  ラビニョ型遊星歯車装置
３  複合電流２層モータ
MG1  第１モータジェネレータ
MG2  第２モータジェネレータ
４  シングルピニオン型遊星歯車装置
５  ダブルピニオン型遊星歯車装置
６  終減速機
７  左右駆動輪
８  エンジンクラッチ
LB  ローブレーキ（係合要素）
１１  モータコントローラ
１２  エンジンコントローラ
１３  インバータ
１４  バッテリ
１５  エンジン
【図１】
2005163912.tif 000004
【図２】
2005163912.tif 000005
【図３】
2005163912.tif 000006
【図４】
2005163912.tif 000007
【図５】
2005163912.tif 000008
【図６】
2005163912.tif 000009
【図７】
2005163912.tif 000010
【図８】
2005163912.tif 000011
【図９】
2005163912.tif 000012
【図１０】
2005163912.tif 000013
【図１１】
2005163912.tif 000014
【図１２】
2005163912.tif 000015
【図１３】
2005163912.tif 000016
【図１４】
2005163912.tif 000017
【図１５】
2005163912.tif 000018
【図１６】
2005163912.tif 000019
【図１７】
2005163912.tif 000020
【図１８】
2005163912.tif 000021
【図１９】
2005163912.tif 000022
【図２０】
2005163912.tif 000023